(57)【要約】【課題】天井材と照明器具との間に隙間が発生するのを防止することができる照明器具を提供すること。【解決手段】照明器具は、Ｔバーに取り付けられる照明器具であって、光を出射する光源ユニットと、光源ユニットを収容する器具本体と、器具本体に取り付けられ、Ｔバーに引っ掛けられる取付部材と、器具本体の下縁にスライド自在に取り付けられ、器具本体の下縁とＴバーとの間を塞ぐカバー部材とを備える。【選択図】図４
2018014281.tif 000002
【特許請求の範囲】
【請求項１】
Ｔバーに取り付けられる照明器具であって、
光を出射する光源ユニットと、
前記光源ユニットを収容する器具本体と、
前記器具本体に取り付けられ、前記Ｔバーに引っ掛けられる取付部材と、
前記器具本体の下縁にスライド自在に取り付けられ、前記器具本体の下縁と前記Ｔバーとの間を塞ぐカバー部材と
を備えた照明器具。
【請求項２】
前記取付部材は、前記器具本体から前記Ｔバー側へスライド自在に取り付けられている請求項１に記載の照明器具。
【請求項３】
前記取付部材は、
前記器具本体の背面に取り付けられる取付基部と、
前記取付基部から下側に向かって延び、前記器具本体の側面側に位置する折り曲げ部と、
前記折り曲げ部から外方へ向かって突出し、下縁において前記Ｔバーの上部に係止される係止部と
を有する請求項１又は２に記載の照明器具。
【請求項４】
前記係止部の下縁の先端には、下側に突起した突起部が設けられている請求項３に記載の照明器具。
【請求項５】
前記折り曲げ部の下側には、前記係止部よりも下側に突出した突出片が設けられている請求項３又は４に記載の照明器具。
【請求項６】
前記係止部は、前記折り曲げ部の両側端に設けられており、
２つの前記係止部間の幅は、前記取付部材が引っ掛けられる前記Ｔバーに直交する前記Ｔバー間の長さと同等である請求項３〜５のいずれか１項に記載の照明器具。
【請求項７】
前記カバー部材は、
前記器具本体にスライド自在に取り付けられ、前記器具本体の取付位置から側面の下縁まで延びるスライド部と、
前記スライド部の下縁に固定され、前記器具本体の側面の縁部の下側と重なるように配置されたカバー本体と
を備えた請求項１〜６のいずれか１項に記載の照明器具。
【請求項８】
外方へ突出しており、前記Ｔバー側へスライドした際に前記Ｔバーのウェブに当たるストッパー部を有し、
前記ストッパー部が前記Ｔバーのウェブに当たったとき、前記カバー本体の先端側が前記Ｔバーのフランジ部上に載置される請求項７に記載の照明器具。
【請求項９】
前記ストッパー部の側部が前記Ｔバーのウェブに当たったとき、前記ストッパー部の上端が前記Ｔバーの上部に設けられた拡大部の下側に当たるものである請求項８に記載の照明器具。
【請求項１０】
前記器具本体は、前記光源ユニットの内面に形成された貫通孔と、前記器具本体の側面に形成された開口とを有し、
前記取付部材は、固定部材により前記貫通孔を介して前記器具本体の背面に取り付けられており、
前記スライド部は、前記開口に挿入され、前記固定部材により前記器具本体の内面に前記貫通孔を介して前記取付部材にスライド自在に取り付けられる請求項８又は９に記載の照明器具。
【発明の詳細な説明】
【技術分野】
【０００１】
本発明は、システム天井に設置される照明器具に関するものである。
【背景技術】
【０００２】
従来、Ｔバーが格子状に組み立てられたシステム天井に照明器具を固定する際、器具本体の端面にＴバーの上側から引っ掛ける取付部材を用いることが提案されている（例えば特許文献１参照）。特許文献１には、器具本体の長手方向の端面に取付部材が固定されており、取付部材がＴバーに引っ掛けられて取り付けられる照明器具が開示されている。
【先行技術文献】
【特許文献】
【０００３】
【特許文献１】特開２０１０−１３５１７９号公報
【発明の概要】
【発明が解決しようとする課題】
【０００４】
しかしながら、特許文献１のような取付部材を用いて照明器具を天井に取り付けた場合、Ｔバー又は天井に設置された天井材と器具本体との間に隙間が生じてしまう場合がある。
【０００５】
本発明は、上述のような課題を解決するためになされたものであり、照明器具とＴバー又は天井材との間に隙間が発生するのを防止することができる照明器具を提供することを目的とする。
【課題を解決するための手段】
【０００６】
本発明の照明器具は、Ｔバーに取り付けられる照明器具であって、光を出射する光源ユニットと、光源ユニットを収容する器具本体と、器具本体に取り付けられ、Ｔバーに引っ掛けられる取付部材と、器具本体の下縁にスライド自在に取り付けられ、器具本体の下縁とＴバーとの間を塞ぐカバー部材とを備える。
【発明の効果】
【０００７】
本発明の照明器具によれば、取付部材が天井材に引っ掛けられた際、スライド部がスライドすることによりカバー部材が器具本体と天井材との隙間を埋めて、照明器具と天井材との間に隙間が発生するのを防止することができる。
【図面の簡単な説明】
【０００８】
【図１】本発明の実施の形態１に係る照明器具が天井に取り付けられた様子を示す斜視図である。
【図２】本発明の実施の形態１に係る照明器具の一例を示す斜視図である。
【図３】図１及び図２の照明器具の分解斜視図である。
【図４】本発明の実施の形態１に係る照明器具がＴバーに取り付けられている様子を示す斜視図である。
【図５】本発明の実施の形態１に係る照明器具における側面の周辺を示す斜視図である。
【図６】図４及び図５の照明器具における側面の周辺を示す分解斜視図である。
【図７】実施の形態１に係る照明器具がＴバーに取り付けられる際の動作例を示す図である。
【図８】実施の形態１に係る照明器具がＴバーに取り付けられる際の動作例を示す図である。
【図９】実施の形態１に係る照明器具がＴバーに取り付けられる際の動作例を示す図である。
【図１０】本発明の実施の形態２に係る照明器具がＴバーに取り付けられている様子を示す斜視図である。
【図１１】本発明の実施の形態２に係る照明器具における側面の周辺を示す斜視図である。
【図１２】図１０及び図１１の照明器具における側面の周辺を示す分解斜視図である。
【発明を実施するための形態】
【０００９】
実施の形態１．
以下、図面を参照しながら本発明の照明器具の実施の形態について説明する。図１は、本発明の実施の形態１に係る照明器具が天井に取り付けられた様子を示す斜視図、図２は本発明の実施の形態１に係る照明器具の一例を示す斜視図、図３は図１及び図２の照明器具の分解斜視図である。図１〜図３の照明器具１は、例えばＴバーが格子状に組み立てられたシステム天井に設置されるものであって、器具本体２と、器具本体２に収容された光源ユニット３とを有する。
【００１０】
器具本体２は、凹状であってＸＹ断面が略長方形状の長尺の形状を有する。器具本体２の内面２ａには光源ユニット３が取り付けられており、開口している側から光が照射される。なお、器具本体２の形状は、種々の形状を採用することができ、例えば直方体形状を有していてもよい。光源ユニット３は、例えば光を出射するＬＥＤが長手方向（矢印Ｘ方向）に実装されたＬＥＤ基板と、ＬＥＤに電力を供給する電源ユニットと、ＬＥＤ基板及び電源ユニットを覆うカバーとを有している。
【００１１】
器具本体２の短辺側の側面２Ｓには、器具本体２をＴバーＢに取り付けるための取付部材１０が固定されている。図４は、本発明の実施の形態１に係る照明器具がＴバーに取り付けられている様子を示す斜視図であり、図５は、本発明の実施の形態１に係る照明器具における側面の周辺を示す斜視図であり、図６は、図４及び図５の照明器具における側面の周辺を示す分解斜視図である。図４〜図６に示すように、取付部材１０は、器具本体２の背面２ｂに取り付けられる取付基部１１と、取付基部１１から下側に向かって延び、器具本体２の側面２Ｓ側に位置する折り曲げ部１２と、折り曲げ部１２から外方へ向かって突出し、下縁においてＴバーＢの上部に設けられた拡大部ＢＴに係止される係止部１３とを有する。この取付基部１１と係止部１３とは、例えば曲げ加工等により一体的に形成されている。
【００１２】
取付基部１１は、器具本体２の背面２ｂに取り付けられており、ネジ等の固定部材ＢＬが挿入される固定穴１１Ｈが形成されている。一方、図６のように、器具本体２には長手方向（矢印Ｘ方向）に延びる貫通孔２Ｈが形成されている。そして、固定部材ＢＬが器具本体２の内面２ａ側から貫通孔２Ｈを貫通して、固定穴１１Ｈに固定される。これにより、取付部材１０は、器具本体２の貫通孔２Ｈに沿って長手方向（矢印Ｘ方向）にスライド自在に取り付けられることになる。
【００１３】
折り曲げ部１２は、取付基部１１から側面２Ｓに沿って鉛直方向（矢印Ｚ方向）に延びた形状を有する。なお、折り曲げ部１２は、下側に延びた形状であればよく、傾斜しながら下側に延びる形状を有していてもよい。係止部１３は、折り曲げ部１２の両側縁から長手方向（矢印Ｘ方向）に突出した形状を有している。そして、係止部１３の下側縁部がＴバーＢに当たり、照明器具１がＴバーＢに引っ掛けられる。
【００１４】
係止部１３の下縁の先端には、下側に突起した突起部１４が設けられており、突起部１４は、ＴバーＢの拡大部ＢＴの側面に引っ掛かるようになっている。これにより、係止部１３が長手方向（矢印Ｘ方向）にずれてしまうのを防止することができる。さらに、折り曲げ部１２の下側には、係止部１３よりも下側に突出した突出片１５が設けられている。そして、突起部１４と突出片１５との間に凹部が形成され、ＴバーＢの拡大部ＢＴが凹部にはまり込んだ状態で、確実に取付部材１０をＴバーＢに引っ掛けることができる。
【００１５】
照明器具１は、器具本体２の下縁部にスライド自在に取り付けられ、器具本体２の下縁とＴバーＢとの間を塞ぐカバー部材２０を備える。カバー部材２０は、器具本体２にスライド自在に取り付けられたスライド部２１と、スライド部２１に固定されたカバー本体２２とを有する。スライド部２１は、段状に形成された板状の部材からなっている。
【００１６】
ここで、器具本体２の側面２Ｓには開口２Ｘが形成されており、スライド部２１の上部が開口２Ｘから挿入され、内面２ａに取り付けられている。また、スライド部２１の上部側には、長手方向（矢印Ｘ方向）に延びる長穴２１Ｈが形成されている。そして、ネジ等の固定部材ＢＬが長穴２１Ｈ及び貫通孔２Ｈを貫通し、取付基部１１の固定穴１１Ｈに挿入される。すると、スライド部２１は、長穴２１Ｈに沿って長手方向（矢印Ｘ方向）にスライド自在に取り付けられることになる。このように、カバー部材２０を取付部材１０に固定することにより、カバー部材２０が器具本体２から外れることなく確実に固定することができる。なお、スライド部２１が取付基部１１に取り付けられた場合について例示しているが、器具本体２に穴を設けて器具本体２に対しスライド自在に取り付けられていてもよい。
【００１７】
スライド部２１は、器具本体２の側面２Ｓの下縁まで延びており、スライド部２１の下部には、断面略Ｌ字状に形成されたカバー本体２２が固定されている。カバー本体２２は、例えば器具本体２の短辺側（矢印Ｙ方向）と同一の長さを有し、器具本体２の側面２Ｓの下縁の下に重なり合うように位置決めされている。スライド部２１が長手方向（矢印Ｘ方向）にスライドしたとき、カバー本体２２も長手方向（矢印Ｘ方向）にスライドする。すると、カバー本体２２により覆われる領域がＴバーＢ側に移動し、カバー本体２２が器具本体２とＴバーＢとの隙間を覆うようになっている。特に、器具本体２の側面２Ｓの下側縁部には、外方へ突出したつば部２Ｌが設けられており、カバー本体２２と器具本体２との接触面積が広くなっている。
【００１８】
カバー本体２２には、ＴバーＢ側へ突出したストッパー部２３が設けられている。ストッパー部２３は、例えばカバー本体２２の両端を折り曲げることにより形成されている。ストッパー部２３は、長手方向（矢印Ｘ方向）にスライドした際、先端がＴバーＢのウェブ（垂直部）ＢＷに当たり、スライド動作を規制する。ここで、ストッパー部２３のスライド方向（矢印Ｘ方向）の幅は、ＴバーＢのフランジ部ＢＦの幅より短くなっている。したがって、ストッパー部２３がＴバーＢのウェブＢＷに当たったとき、カバー本体２２の先端がフランジ部ＢＦ上に配置され保持された状態になる。
【００１９】
さらに、ストッパー部２３は、上端がＴバーＢのウェブＢＷの下側と略同一の高さを有しており、ストッパー部２３がＴバーＢのウェブＢＷに当たったとき、ストッパー部２３の上端はＴバーＢの拡大部ＢＴの下側に当たるようになっている。すると、ストッパー部２３の上端がＴバーＢの拡大部ＢＴに係止され、浮き上がりが防止される。
【００２０】
このように、カバー本体２２が器具本体２とＴバーＢとの隙間Ｄを覆ったとき、カバー本体２２が器具本体２の下側を支持するとともに、ストッパー部２３がＴバーＢのフランジ部ＢＦに支持された状態になる。言い換えれば、カバー本体２２がスライド部２１を介して器具本体２の内面２ａを押し上げるように保持していることになる。よって、カバー部材２０が上述した取付部材１０と協働して照明器具１を確実にＴバーＢに固定することができる。なお、カバー本体２２の幅がＴバーＢ同士の幅Ｗ（図３参照）とほぼ同一に形成されている場合、ストッパー部２３はスライドガイドとしても機能する。
【００２１】
図７〜図９は、実施の形態１に係る照明器具がＴバーに取り付けられる際の動作例を示す図であり、図１〜図９を参照して照明器具１の取付方法について説明する。なお、図７（Ａ）、図８（Ａ）、図９（Ａ）は、照明器具１を側面から見た側面図であり、図７（Ｂ）、図８（Ｂ）、図９（Ｂ）は、照明器具１を内面から見た斜視図であり、図７（Ｃ）、図８（Ｃ）、図９（Ｃ）は、照明器具１を背面から見た斜視図である。
【００２２】
まず、図７（Ａ）〜図７（Ｃ）のように、照明器具１全体がＴバーＢよりも上側に持ち上げられる。その後、図８（Ａ）〜（Ｃ）に示すように、係止部１３がＴバーＢの上に位置するように、取付部材１０が長手方向（矢印Ｘ方向）にスライドする。そして、照明器具１全体が下に降ろされたとき、ＴバーＢの拡大部ＢＴが突起部１４と突出片１５との間に挟まった状態で係止される。ここで、器具本体２とＴバーＢとの間には、取付部材１０がスライドした分だけ隙間Ｄが生じる（図４参照）。
【００２３】
そこで、図９（Ａ）〜（Ｃ）に示すように、カバー部材２０が、ＴバーＢに向かってスライドし、器具本体２とＴバーＢとの隙間Ｄを塞ぐ。このとき、カバー本体２２が器具本体２の下側を支持するとともに、ＴバーＢのフランジ部ＢＦに支持された状態になる。このとき、ストッパー部２３の上端が、ＴバーＢの拡大部ＢＴに係止された状態になる。
【００２４】
上記実施の形態１によれば、取付部材１０がＴバーＢに引っ掛けられた際、カバー部材２０がスライドすることにより、カバー本体２２が器具本体２とＴバーＢ又は天井材との隙間Ｄを塞ぎ、器具本体２とＴバーＢ及び天井材との間に隙間が発生するのを防止することができる。
【００２５】
また、取付部材１０が器具本体２にスライド自在に取り付けられていることにより、照明器具１の取付位置によっては、照明器具１をＴバーＢに取り付けることができない、といった不具合の発生を防止することができる。すなわち、システム天井は、吊りボルトにより固定されている。このため、従来の照明器具のように、取付部材が器具本体の側面に固定されている場合、照明器具１の取付位置によっては取付部材１０と吊りボルトとが干渉してしまい、照明器具１を取り付けることができない場合がある。一方、上述した照明器具１においては、取付部材１０がスライド自在に取り付けられているため、吊りボルト等との干渉を避けて照明器具１をＴバーＢに取り付けることができる。また、ＴバーＢの拡大部ＢＴの上に載置される係止部１３が板状に形成されているため、吊りボルトをよけやすくより干渉しにくくすることができる。
【００２６】
さらに、取付部材１０が、器具本体２の背面に取り付けられる取付基部１１と、取付基部から下側に向かって延び、器具本体２の側面２Ｓ側に配置される折り曲げ部１２と、折り曲げ部から外方へ向かって突出し、下縁においてＴバーＢの上部に係止される係止部１３とを有するとき、取付部材１０が器具本体２の背面２ｂ側から支え、器具本体２をＴバーＢに確実に固定することができる。
【００２７】
また、係止部１３の下縁の先端には、下側に突起した突起部１４が設けられている場合、係止部１３がＴバーＢからずれるのを防止し、器具本体２をＴバーＢに確実に固定することができる。同様に、折り曲げ部１２の下側には、係止部１３よりも下側に突出した突出片１５が設けられているとき、突出片１５がＴバーＢからずれるのを防止し、器具本体２をＴバーＢに確実に固定することができる。
【００２８】
さらに、カバー部材２０が、器具本体２にスライド自在に取り付けられ、器具本体２との取付位置から側面２Ｓの下縁まで延びるスライド部２１と、スライド部２１の下縁に固定され、器具本体２の側面２Ｓの縁部の下側と重なるように配置されたカバー本体２２とを有するとき、カバー部材２０が器具本体２の下側から支持し、確実に照明器具１をＴバーＢに設置することができる。特に、器具本体２の側面２Ｓの縁部には、外方へ突出したつば部２Ｌが設けられている場合、器具本体２とカバー本体２２との接触面積が大きくなり、確実に照明器具１をＴバーＢに設置することができる。
【００２９】
また、カバー部材２０は、外方へ突出しており、ＴバーＢ側へスライドした際にＴバーのウェブＢＷに当たるストッパー部２３を有し、ストッパー部２３がＴバーＢに当たったときに、カバー本体２２の先端がＴバーのフランジ部ＢＦ上に載置されるものであれば、カバー部材２０がＴバーＢに支持された状態になり、照明器具１を確実にＴバーＢに保持させることができる。
【００３０】
また、ストッパー部２３は、側部がＴバーＢのウェブＢＷに当たったとき、上端がＴバーＢの上部に設けられた拡大部ＢＴの下側に当たるものであるとき、ストッパー部２３が拡大部ＢＴに係止された状態になり、照明器具１の浮き上がりを防止することができる。
【００３１】
さらに、器具本体２が、光源ユニット３の内面２ａに形成された貫通孔２Ｈと、側面２Ｓに形成された開口２Ｘとを有し、取付部材１０が、固定部材ＢＬにより貫通孔２Ｈを介して器具本体２の背面２ｂに取り付けられており、スライド部２１が、開口２Ｘに挿入され、固定部材ＢＬにより器具本体２の内面２ａに開口２Ｘを介して取付部材１０にスライド自在に取り付けられる場合、カバー部材２０が器具本体２及び取付部材１０に取り付けられることになるため、カバー部材２０の取付強度を確保することができる。
【００３２】
実施の形態２．
図１０は、本発明の実施の形態２に係る照明器具がＴバーに取り付けられている様子を示す斜視図であり、図１１は、本発明の実施の形態２に係る照明器具における側面の周辺を示す斜視図であり、図１２は、図１０及び図１１の照明器具における側面の周辺を示す分解斜視図である。図１０〜図１２を参照して照明器具１００について説明する。なお、図１０〜図１２の照明器具１００において、図１〜図９の照明器具１と同一の構成を有する部位には同一の符号を付してその説明を省略する。実施の形態２の照明器具１００において実施の形態１の照明器具１と異なる点は、取付部材１１０の構成である。
【００３３】
図１０〜図１２の取付部材１１０において、折り曲げ部１２の両側端に設けられた係止部１１３間の幅Ｗは、取付部材１１０が引っ掛けられるＴバーＢに直交するＴバー間の長さＷ（図３参照）と同等になっている。これにより、器具本体２を安定した状態でＴバーＢに係止させることができる。また、取付部材１１０が長手方向（矢印Ｘ方向）にスライドする際には、係止部１１３がガイドになり、スムーズにスライドを行うことができる。
【００３４】
本発明の実施の形態は、上記実施の形態に限定されず、種々の変更を加えることができる。例えば、上記実施の形態１、２において、取付部材１０がスライド自在に取り付けられている場合について例示しているが、取付部材１０が器具本体２に固定されていてもよい。そして、器具本体２とＴバーＢとの間に隙間が生じたとき、上記カバー部材２０により隙間を塞ぐようにしてもよい。また、光源ユニット３にはＬＥＤからなる光源を用いた場合について例示しているが、蛍光灯もしくは有機ＥＬ等を用いるようにしてもよい。
【符号の説明】
【００３５】
１、１００  照明器具、２  器具本体、２Ｈ  貫通孔、２Ｌ  つば部、２Ｓ  側面、２Ｘ  開口、２ａ  内面、２ｂ  背面、３  光源ユニット、１０、１１０  取付部材、１１  取付基部、１１Ｈ  固定穴、１２  折り曲げ部、１３、１１３  係止部、１４  突起部、１５  突出片、２０  カバー部材、２１  スライド部、２１Ｈ  長穴、２２  カバー本体、２３  ストッパー部、Ｂ  Ｔバー、ＢＦ  Ｔバーのフランジ部、ＢＬ  固定部材、ＢＴ  Ｔバーの拡大部、ＢＷ  Ｔバーのウェブ、Ｄ  隙間、Ｗ  幅。
【図１】
2018014281.tif 000003
【図２】
2018014281.tif 000004
【図３】
2018014281.tif 000005
【図４】
2018014281.tif 000006
【図５】
2018014281.tif 000007
【図６】
2018014281.tif 000008
【図７】
2018014281.tif 000009
【図８】
2018014281.tif 000010
【図９】
2018014281.tif 000011
【図１０】
2018014281.tif 000012
【図１１】
2018014281.tif 000013
【図１２】
2018014281.tif 000014